(57)【要約】【課題】内箱としての内装重ね体に段ボールや厚紙等の一体の板材を使用し、それだけで内装重ね体の全体的な組立てが可能であり、したがって、高価なプラスチックフィルムを使用しないで、内装重ね体に、物品を挟持する弾性変形による伸縮性と緩衝性、強靱性などを付与した物品の挟持式包装容器を提供する。【解決手段】箱体と、その箱体に納まり物品を挟持する内装重ね体とからなり、その少なくとも一方の内装重ね体について、箱体に箱状において納まるよう段ボールや厚紙等の半剛性ないし半弾性の一体板材にプレス加工が施されてなり、プレス加工においては、前記箱状の底壁となる物品の挟持壁に、全面もしくはほゞ全面に無数の切込みを均等若しくはほゞ均等に散在して設けてあって、物品の荷重で切込みが口開き状に開拡することにより、周囲から中心部に突っ張りを伴いながら凹曲して弾性変形するよう伸縮自在に該挟持壁を形成した。【選択図】    図１
2008087837.tif 000002
【特許請求の範囲】
【請求項１】
箱体と、その箱体に納まり物品を挟持する内装重ね体とからなり、その少なくとも一方の内装重ね体について、箱体に箱状において納まるよう段ボールや厚紙等の半剛性ないし半弾性の一体板材にプレス加工が施されてなり、プレス加工においては、前記箱状の底壁となる物品の挟持壁に、全面もしくはほゞ全面に無数の切込みを均等若しくはほゞ均等に散在して設けてあって、物品の荷重で切込みが口開き状に開拡することにより、周囲から中心部に突っ張りを伴いながら凹曲して弾性変形するよう伸縮自在に該挟持壁を形成したことを特徴とする物品の挟持式包装容器。
【請求項２】
挟持壁が前記の如く変形自在である内装重ね体において、中心を通る縦横十文字の対角線となるほゞ矩形ないし菱形の大小環状線を中心から等間隔若しくはほゞ等間隔に配列を想定することにより、その各仮想環状線に沿って切込みが未切りの断線部を介して断続的に配列され、その配列において、断線部を隣接仮想環状線上の切込みの長さ中間部に位置させることにより、断線部が隣接仮想環状線の切込みを越えて飛び飛びとなる筋条において中心部から外側へ配列され、各筋条が前記矩形若しくは菱形の仮想対角線に対して４５度の傾斜角度の配列になっていることを特徴とする請求項１記載の物品の挟持式包装容器。
【請求項３】
挟持壁が前記の如く変形自在である矩形の内装重ね体において、挟持壁の中心を通る仮想縦横十文字の少なくとも一方の両端部において、ゴム輪を欠ける両耳片が当該中心を中心とした対象の切起しスリットの形成により設けてあることを特徴とする請求項１または２記載の物品の挟持式包装容器。
【請求項４】
挟持壁が前記の如く変形自在である矩形の内装重ね体において、その箱状の組立てについて、挟持壁の各縁に箱体の天面もしくは底面に突き合う側部フラップを連設し、該面に緩衝的に突き合うよう側部フラップの先端をジグザグ状に形成してあることを特徴とする請求項１，２または３記載の物品の挟持式包装容器。
【請求項５】
挟持壁が前記の如く変形自在である矩形の内装重ね体において、その箱状の組立てについて、挟持壁の各縁に箱体の底面又は天面に突き合う側部壁を、内側に折り込む内側壁を介して連設してあることを特徴とする請求項１，２又は３記載の物品の挟持式包装容器。
【発明の詳細な説明】
【技術分野】
【０００１】
この発明は、壊れやすいデリケートな物品を弾性変形しやすい変形自在な面で挟むことにより安全輸送を確保し得るように、その手段を内装した物品の挟持式包装容器に関する。
【背景技術】
【０００２】
従来、この種の輸送手段について、段ボールの箱体に、物品を挟む上下内装重ね体を収納したものが挙げられ、その両方または一方の内装重ね体については、中央に広く窓孔を有する枠組体を構成し、その一面にプラスチックフィルムを貼着し、その面を封じたフィルムによる内箱形としたものが提示される（特開２００１−３１５７６１号公報）。
【０００３】
実際には上下一対の内箱の各一面に貼着するプラスチックフィルムが、強靱で高い伸縮性を持つ特殊なものが実用化され、両プラスチックフィルムで物品を挟むことにより、その弾性変形を伴いながら、両フィルムの間に物品を安全に挟持し得る緩衝性の包装容器として提供される。
【０００４】
本願発明に関しては、下記の特許文献がある。
【特許文献１】特開２００１−３１５７６号公報
【発明の開示】
【発明が解決しようとする課題】
【０００５】
上記のような、物品の挟持式包装容器によれば、内箱は、段ボール又は厚紙からなる枠組体と、その一面に貼着されるプラスチックフィルムとからなる複合緩衝材であるため、その組立てに手数を要することはもとより、プラスチックフィルムが単なる普通のプラスチックフィルムでは強度的にも伸縮性においても使用に耐えないことから、高価な特殊なフィルムが使用されるために、コスト高となり、それが物品の輸送コストに負担となり、また、リサイクルのことを考えると、たとえ、枠組体を再生可能な段ボールで組み立てたとしても、プラスチックフィルムは異質材料であるため、リサイクルに過度に手数が掛かるという問題があった。
【０００６】
この発明は、上記のような観点から、前記で言う内箱としての内装重ね体に段ボールや厚紙等の一体の板材を使用し、それだけで内装重ね体の全体的な組立てが可能であり、したがって、高価なプラスチックフィルムを使用しないで、内装重ね体に、物品を挟持する弾性変形による伸縮性と緩衝性、強靱性などを付与した物品の挟持式包装容器を提供することを課題とした。
【課題を解決するための手段】
【０００７】
上記の課題を解決するために、箱体と、その箱体に納まり物品を挟持する内装重ね体とからなり、その少なくとも一方の内装重ね体について、箱体に箱状において納まるよう段ボールや厚紙等の半剛性ないし半弾性の一体板材にプレス加工が施されてなり、プレス加工においては、前記箱状の底壁となる物品の挟持壁に、全面もしくはほゞ全面に無数の切込みを均等若しくはほゞ均等に散在して設けてあって、物品の荷重で切込みが口開き状に開拡することにより、周囲から中心部に突っ張りを伴いながら凹曲して弾性変形するよう伸縮自在に該挟持壁を形成したことを特徴とする物品の挟持式包装容器を提供するものである。
【０００８】
物品の挟持式包装容器を上記のように構成したから、内装重ね体は挟持壁を一体部材の板材にプレス加工を施すことにより一体に形成される。そして、プレス加工では無数の切込みを散在して設けるという効率的な一発作業により、箱状の底壁に相当する部分が物品を安全に保持できるよう、強靱性を保存しながら弾性変形可能な伸縮性と緩衝性を有する挟持壁として形成される。
【０００９】
こうして、挟持壁で挟持される物品は、安全に保持されるだけでなく、切込みに縁が支えてずれることなく安定して支持される。なお、原則的考え方として、当該切込みを有する同じ上下一対の内装重ね体が対象に突き合わされることにより物品がその間に挟まれた状態で箱体に包装されるが、一方の内装重ね体については、異なる緩衝材、例えば、プラスチックの発泡体、空気袋等であっても良いものとする。
【発明の効果】
【００１０】
以上説明したように、この発明の物品の挟持式包装容器によれば、物品を挟む内装重ね体に段ボールや厚紙等の一体の板材を使用し、それにプレス加工を施して無数の切込みを設けたから、従来コスト的に不利な特殊プラスチックフィルムを使用することなく、弾性変形可能な伸縮性と緩衝性、強靱性を備えた挟持壁を形成できるので、輸送コストに貢献できる安価な提供に適すると同時に、デリケートな物品の安全輸送が可能となるという優れた効果がある。
【００１１】
加えて、請求項２によれば、後記するように上記の効果がさらに顕著となり、請求項３によれば、物品の重量等に適応するゴム輪による補強対策が可能となり、請求項４によれば、緩衝性がさらに向上し、請求項５によれば、内側壁の幅での落ち込みにより物品の大きさ、特に厚みに対応してそれを保持できるという効果を併有することになる。
【発明を実施するための最良の形態】
【００１２】
図１ないし図３は、この発明の一実施形態を示したもので、その物品の挟持式包装容器Ｐは、箱体１と、それに共に納まる上下一対の内装重ね体３，３とからなり、両内装重ね体３，３の相対向面に挟持壁５，５が形成され、その間に物品１０を挟んで保持されるようになっている。
【００１３】
箱体１は、Ａ式の段ボール箱として組み立てられるものである。つまり、胴部が左右側壁６，６および前後側壁７，７からなり、その上下両端に左右一対の内フラップ９，９および前後一対の外フラップ１１，１１がそれぞれ連設される。
【００１４】
両方の内装重ね体３，３は、これも段ボールで組み立てられ、互いに同一の形状であるが、挟持壁５，５を対面させて上下対象に用いられるものである。その形状については、挟持壁５，５を箱体１に納まる矩形に形成し、それに箱体１の左右側壁６，６と前後側壁７，７に接合する左右側部フラップ１３，１３と、前後側部フラップ１５，１５が均一突出寸法において連設される。１６は手掛孔である。
【００１５】
挟持壁５，５は、当該段ボールにその中心を中心に等間隔に拡がる多数の仮想環状線に沿ってそれぞれ断続的ないし鎖線的配列において切込み１７ａ，１７ｂ，１７ａ，１７ｂ，・・が形成されることにより、切込み１７ａ，１７ｂの線による全面的なウエーブ模様により弾性変形可能になっている。
【００１６】
この点について、断続的ないし鎖線的配列とは、各切込み１７ａ，１７ｂが環状に沿って等間隔に切込み１７ａ，１７ｂ，・・が配列されることにより、その間に断線部１９，１９，・・を有することを言う。そして、隣接する切込み１７ａ，１７ｂ，・・の間では、断線部１９，１９，・・が互いに重ならないように、他方の切込み１７ａまたは１７ｂの各長さ中間部に位置している。したがって、中心部近くから断線部１９，１９，・・が他方の切込み１７ａ（又は１７ｂ）を挟んで外側へ延びて配列されており、この形状から、各切込み１７ａ，１７ｂが断線部１９，１９の間で開拡可能となっている。
【００１７】
そこで、挟持壁５に物品１０の加重が掛かると、その開拡を伴う弾性変形により中央部に低く落ち込む、また、物品１０を上から覆うと中央部に高く盛り上がるということになる。ただし、この際に中心部２１に応力が集中しやすいから、強度的安定性を確保するために、中心部２１は素材のまま未処理部となっている。また、物品１０が例えばパソコンのように弁当箱状であると、中心部２１が平面に当たるので、その部分が段ボール（又は厚紙）のままに剛性を有していても、その部分によって物品１０が衝撃を受けることなく、周囲の弾性により緩衝作用が十分に果たされる。また、図示は省略するが、物品１０が当たらない周囲（縁）においても縁取りのように未処理部としておいても良い。
【００１８】
また、この実施形態では、中心を中心とする十文字（Ｍ−Ｍ、Ｎ−Ｎ）の区画により４エリアにウエーブ模様が少し異なっている。これについては、十文字の境界線近辺以外では、ほゞ各切込み１７ａ，１７ｂが中心から外に向かって凹または凸となる一波（一ウエーブ）形状であって、各断線部１９が隣接切込み１７ａ，１７ａ（又は１７ｂ，１７ｂ）の山形頂部の位置に位置している。そして、各エリアにおいて、断線部１９，１９，・・の配列Ｌ，Ｌ，・・が中心から４５度となっている。
【００１９】
こうした形態であると、断線部１９，１９，・・の配列Ｌ線方向に対して物品１０を受ける突っ張り強度が断線部１９の存在により確保される。物品１０がパソコン等の四角形の場合であると、その配列方向に物品１０の隅角が位置して突っ張りが強く働く関係で、隅角が強く掛かる四角形状の物品１０の包装に特に適している。しかし、中心から放射方向にも突っ張り強度を有している形状でもあるので、物品１０が円形、楕円形、その他異形の形状であっても、対応できる切込み１７ａ，１７ｂの配列であり、この点で汎用性、融通性のある梱包製品として好評に提供できる。
【００２０】
また、この実施形態では、前記したように、各エリアにおいて、断線部１９，１９，・・の配列Ｌ，Ｌ，・・が平行であるので、全体的にほゞ同じ突っ張り強度を保有している。断線部１９，１９，・・が中心部と外側部との地域間に疎密の差がないからである。この点でも、多様な物品１０の形状に対応できる融通性がある。ただし、この発明は、切込み１７ａ，１７ｂの模様をこの実施形態のように限定するものではなく（請求項１）、他に様々の形状が考えられることはいうまでもない。
【００２１】
他の実施形態として図示はしないが、例えば、前記断線部１９，１９，・・の配列Ｌに相当する配列が、中心を中心とする放射方向の線に沿った配列とする場合もある。こうすれば、中心では断線部１９，１９，・・が密となり（切込みの長さが短くなる）、外側へ行くにつれて疎となる（切込みの長さが長くなる）から、強度的な安定性を確保するために、未処理部２１に相当する部分を特に広くするのが良い。
【００２２】
また、各側部フラップ１３，１５には、先端に凹凸ジグザグ形状１８が形成され、それによって、箱体１の上下壁となる内フラップ９，９に突き合うについて緩衝性が得られる。
【００２３】
図３は、物品１０を包装した物品の挟持式包装容器Ｐの使用状態を示したもので、上下の内装重ね体３，３が箱体１に納まることにより、両挟持壁５，５の間に物品１０が保持される。そして、挟持壁５，５の伸びは、散在する切込み１７ａ，１７ｂ，・・の開拡により生じている。この伸びは復元するために、内装重ね体３，３の反復使用が可能であるが、復元しやすく、段ボールには、例えばプラスチックフィルムのラミネートしたものを使用する等の手段をとることもできる。
【００２４】
図４は、内装重ね体３の変形状態を説明するために、３個の略図（ａ），（ｂ），（ｃ）を配列したもので、（ａ）の略図は、挟持壁５の上に物品１０が載せられると、その重みにより挟持壁５が落ち込むと同時に、それに引っ張られて周囲の側部フラップ１３，１５が幅中央で内側に彎曲して弾性変形する状態を示す。したがって、この弾性変形によっても緩衝性が付与される。また、（ｂ）の略図では、同じ状態において側部フラップ１３，１５が高さ中間部で内側に彎曲して弾性変形する状態を示す。さらに、Ａ部では物品１０の縁が挟持壁５の切込み１７ａ，１７ｂに支えることを説明している。（ｃ）の略図では、上部ではその内装重ね体３の挟持壁５が物品１０を覆ってその縁に引っかかっている（矢印部分）ことを説明している。
【００２５】
図５は、他の実施形態として、物品１０の荷重に耐える挟持壁５の補強手段の一例を示したものである。それには、挟持壁５に中心を中心として前後一対の耳片２７，２７と、左右一対の耳片２８，２８をそれぞれの対で対象に形成したもので、それには、切起しスリット２９，２９及び３０，３０を両方で相反する凸形に形成される。この場合は、耳片２７，２７及び２８，２８にゴム輪３１，３１を掛けることにより物品１０の荷重の負担が軽減される。そこで特別荷重の物品１０の場合における強度が保持される。なお、この場合、ゴム輪３１，３１が縦横十文字に掛けることができるが、縦横一方のみに掛かるよう、左右耳片２７，２７又は上下耳片２８，２８のいずれかのみを形成することもある。
【００２６】
図６は、さらに他の実施形態を示した図２に対応する平面図である。この場合は、中心部２１を中心として複数回折込んだ状態で、交互に千鳥状に切込み１７を入れて行き、それを展開することによって得られる実施形態である。
【００２７】
図７および図８は、さらに別の実施形態として、物品１０の大きな厚みに対応する挟持壁５の高さ設定手段の一例を示したものである。この場合も、上下内装重ね体３，３は、展開された状態では、両方共に同一形状であって、同一に箱形に折り込みがなされるが、物品１０の過大な厚みに対応して調整する遊びとして、挟持壁５には、側部壁２３，２４の高さの範囲内の幅の内側壁３２，３２，３２，３２を介して側部壁１３，１５が連設される。したがって、二重側壁の箱型に組み立てとなるが、箱型の安定性を得るために、隣接する各内側壁３２，３２の間には、折込み片３３が介在され、折込み線３５で外側（又は内側）で折り込まれるようになっている。なお、その折込みは内側壁３２に必ずしも止める必要はない。
【図面の簡単な説明】
【００２８】
【図１】この発明の物品の挟持式包装容器を物品の包装手順において示す斜視図であって、さらに、要部の一部を矢印にて引き出す手法で該面を円内に平面的に拡大して示す説明図である。
【図２】同物品の挟持式包装容器における内装重ね体の展開した平面図である。
【図３】同物品の挟持式包装容器により物品を梱包した状態を示す同容器の縦断面図である。
【図４】同物品の挟持式包装容器の働きを、（ａ）平面図、（ｂ）下半部断面図、（ｃ）上下断面図の各略図において示す説明図である。
【図５】他の実施形態を示す、図２に対応する平面図である。
【図６】さらに他の実施形態を示す、図２に対応する平面図である。
【図７】さらに別の実施形態を示す、図２に対応する平面図である。
【図８】同実施形態における物品の梱包状態を示す図３に対応する縦断面図である。
【符号の説明】
【００２９】
Ｐ  物品の挟持式包装容器
１  箱体
３  内装重ね体
５  挟持壁
１０  物品
１３，１５  側部フラップ
１７,１７ａ，１７ｂ  切込み
１８  ジグザグ形状
１９  断線部
２３，２４  側部壁
２７，２８  耳片
２９，３０  切起しスリット
Ｌ  筋条の配列の位置を示す線
Ｍ，Ｎ  十文字方向を示す線  
【図１】
2008087837.tif 000003
【図２】
2008087837.tif 000004
【図３】
2008087837.tif 000005
【図４】
2008087837.tif 000006
【図５】
2008087837.tif 000007
【図６】
2008087837.tif 000008
【図７】
2008087837.tif 000009
【図８】
2008087837.tif 000010